(57)【要約】  【課題】複数のアンテナの中で最良のものを自動的に選択することができる。  【解決手段】複数のアンテナ入力と、複数のアンテナ入力の一つを選択する選択部と、選択されたアンテナ入力からの信号を処理する処理部と、選択部を制御するコントロール信号を生成するコントロール信号生成部とを有するテレビジョン受信装置である。【選択図】図５
2014183517.tif 000002
【特許請求の範囲】
【請求項１】
複数のアンテナ入力と、
複数の前記アンテナ入力の一つを選択する選択部と、
選択された前記アンテナ入力からの信号を処理する処理部と、
前記選択部を制御するコントロール信号を生成するコントロール信号生成部と
を有するテレビジョン受信装置。
【請求項２】
前記複数のアンテナ入力には、伝送帯域の全帯域をカバーする有線のアンテナ入力が含まれる請求項１に記載のテレビジョン受信装置。
【請求項３】
前記全帯域をカバーする有線のアンテナ入力は、前記選択部を通過して前記処理部に供給される請求項２に記載のテレビジョン受信装置。
【請求項４】
前記コントロール信号生成部は、前記アンテナ入力からの信号のそれぞれの信号強度を求め、求められた信号強度が大きく、且つエラーの少ない前記アンテナ入力を選択する請求項１に記載のテレビジョン受信装置。
【請求項５】
前記コントロール信号生成部は、前記複数のアンテナ入力に関して予め信号強度を求め、前記信号強度の大きいものから順番にアンテナ入力を選択する請求項４に記載のテレビジョン受信装置。
【請求項６】
前記コントロール信号生成部は、前記複数のアンテナ入力の有無を予め求め、前記アンテナ入力の無いものについての処理を省略する請求項４に記載のテレビジョン受信装置。
【請求項７】
前記アンテナ入力の一つを選択するロック状態において、エラーが発生する場合にインターラプト状態に移行し、前記インターラプト状態において、エラーが再度起きないか、またはエラーが少ないことを確認すると、前記ロック状態に戻る請求項４に記載のテレビジョン受信装置。
【請求項８】
前記コントロール信号生成部は、複数の前記アンテナ入力を組合せて合成後の信号強度を求め、求められた合成後の信号強度が大きい前記アンテナ入力を設定する請求項１に記載のテレビジョン受信装置。
【請求項９】
複数のアンテナ入力の一つを選択部によって選択し、
選択された前記アンテナ入力からの信号を処理部によって処理し、
前記選択部を制御するコントロール信号をコントロール信号生成部によって生成する
テレビジョン受信方法。
【請求項１０】
複数のアンテナ入力と、
複数の前記アンテナ入力の一つを選択する選択部と、
選択された前記アンテナ入力からの信号を処理する処理部と、
前記選択部を制御するコントロール信号を生成するコントロール信号生成部と
を有し、
前記複数のアンテナ入力には、伝送帯域の全帯域をカバーする有線のアンテナ入力が含まれる携帯端末。
【請求項１１】
前記全帯域には、地上デジタル放送の信号と、携帯端末向けマルチメディア放送の信号とが含まれる請求項１０に記載の携帯端末。
【発明の詳細な説明】
【技術分野】
【０００１】
本開示は、アンテナによってテレビジョン放送を直接受信する場合とケーブルを通じてテレビジョン放送を受信する場合との何れにおいても良好にテレビジョン放送を受信できるテレビジョン受信装置、テレビジョン受信方法および携帯端末に関する。
【背景技術】
【０００２】
タブレット端末、タブレットＰＣ等の携帯端末がアンテナおよびテレビジョンチューナを備えることによって、携帯端末がアンテナによってテレビジョン放送を直接受信する（以下、エア受信と称する）ことができる（特許文献１参照）。例えば地上デジタル放送（フルセグメント／ワンセグメント）および携帯端末向けマルチメディア放送を受信するようにすれば、屋外でのテレビジョン放送を受信することが可能となり、携帯端末の利便性を向上できる。
【０００３】
タブレット端末にチューナが搭載されている場合、外出先では、持っているアンテナのうちで一番性能の良いアンテナを自動的に選択することが望ましい。例えば、ロッドアンテナが接続されているが伸ばしていない場合に、音声も視聴するつもりでイヤホンアンテナを接続している場合を想定する。ユーザーが意識しないで、チューナが自動的に判断して、イヤホンアンテナが一番良いと判断してイヤホンアンテナにて視聴することが可能となる。もちろん、イヤホンやケーブルを接続していない場合は、ロッドアンテナに切り換えることを行う。
【０００４】
一方、自宅に帰った際、アンテナで受信を続けるよりも、壁に届いているアンテナ端子から接続した方がより安定して受信できる。この場合は、クレードルなどにＦ型コネクタを設け、ケーブルで接続できることが望ましい。また、そのような機能を付加することによって、自宅にいる時間に充電しながら番組を録画し、外出先で視聴するようなライフスタイルが可能になる。このような、外出先、屋内両方でアンテナを自動的に切り換え、常に最適なテレビ視聴を実現できることが望まれる。
【０００５】
一つの方法として、複数のアンテナを備え、リアルタイムでアンテナを切り替えて良好な受信状態を保つことである。しかしながら、どのアンテナが一番レベル良く受信できているのかを検出し、アンテナを自動的に切り替えるのに非常に手間がかかり、切り換え時間が長くなる問題があった。アンテナ切替えを手動で行うことも可能であるが、その場合、携帯端末を使用しているユーザーの手を煩わせることになる。しかも、ユーザが適切にアンテナを選択するためには、技術的知識が必要となる。
【０００６】
さらに、家庭、集合住宅等に設置されているアンテナを利用することによって、携帯端末が備えるアンテナに比してより良好にテレビジョン放送を受信することが可能となる。例えば壁面のアンテナ端子（例えばＦ型コネクタ）と携帯端末の端子との間が同軸ケーブルによって接続される。良好に受信されたテレビジョン放送を視聴するのにとどまらず、携帯端末によって録画すれば、番組コンテンツを持ち出して楽しむことができる。
【０００７】
集合住宅等では、ＣＡＴＶ(cable television)を導入して地上デジタル放送を受信するようにしている場合がある。ＣＡＴＶにおいて、地上デジタル放送を伝送する方式として、トランスモジュレーション方式とパススルー方式とが知られている。トランスモジュレーション方式は、ＣＡＴＶ局が受信した電波をＣＡＴＶに適した変調方式に変換して伝送する方法である。トランスモジュレーション方式では、ＣＡＴＶのデジタル放送を受信するためにＳＴＢ(Set Top Box)をテレビジョン受像機に接続することが必要とされる。
【０００８】
パススルー方式は、受信した電波を変調方式を変えずに伝送する方式である。さらに、パススルー方式には、地上デジタル放送が使用するＵＨＦ帯の電波を周波数を変えずに再送信する同一周波数パススルー方式と、放送の周波数とは異なる周波数に変換して再送信する周波数変換パススルー方式とがある。パススルー方式では、ＳＴＢが不要である。同一周波数パススルー方式の場合では、通常の地上デジタル放送受信用のテレビジョン受像機で受信することができる。周波数変換パススルー方式の場合では、変換後の周波数がＵＨＦ帯域以外の帯域まで受信範囲が拡大されている「ＣＡＴＶパススルー方式対応」のテレビジョン受像機で地上デジタル放送を視聴することができる。市販されているテレビジョン受像機、チューナ等は、殆ど「ＣＡＴＶパススルー方式対応」の製品である。
【０００９】
図１Ａは、わが国における帯域割り当てを示している。広帯域施設の伝送帯域は、９０〜７７０[MHz]である。この帯域が以下のように分割されている。
ＶＨＦ帯（ローバンド）（ＶＨＦ−Ｌと表記する）（９０〜１０８[MHz]）
ミッドバンド（ＭＩＤと表記する）（１０８〜１７０[MHz]）
ＶＨＦ帯（ハイバンド）（ＶＨＦ−Ｈと表記する）（１７０〜２２２[MHz]）
スーパハイバンド帯（ＳＨＢと表記する）（２２２〜４６８[MHz]）
ＵＨＦ帯（ＵＨＦと表記する）（４７０〜７７０[MHz]）
【００１０】
周波数変換パススルー方式の場合では、例えばスーパハイバンド帯を使用してテレビジョン放送を伝送することができる。したがって、「ＣＡＴＶパススルー方式対応」の製品は、上述した全帯域（９０〜７７０[MHz]）を受信することが可能とされている。スーパ
ハイバンド帯は、電波の場合には、他の用途に割り当てられており、エア受信の際には、妨害要因となるので、フィルタによって受信できないようにする必要がある。
【００１１】
以前の地上アナログ放送の場合では、図１Ｂに示すように、ＶＨＦ−Ｌ（１〜３チャンネル）ＶＨＦ−Ｈ（４〜１２チャンネル）ＵＨＦ（１３〜６２チャンネル）の周波数帯域を使用していた。地上デジタル放送は、図１Ｃに示すように、ＵＨＦ（１３〜５２チャンネル）帯を使用しているので、地上デジタル放送をエア受信する場合、ＵＨＦを受信できれば良い。
【００１２】
最近では、廃止された地上アナログ放送のＶＨＦ−Ｈの帯域の一部（２０７．５〜２２２[MHz]）を利用して携帯端末向けマルチメディア放送の提供が開始されている。携帯端
末向けマルチメディア放送の規格の一つは、ISDB-Tmm(Integrated Services Digital Broadcasting Terrestrial Mobile Multi-Media Broadcasting)である。ISDBは、日本、フィリピン、中南米諸国で採用されているデジタル放送の方式である。ISDBのファミリーとして、ISDB-Tmmの他に、衛星デジタル放送用のISDB-S、地上デジタル放送用のISDB-T、地上デジタル音声放送用のISDB-TSB、デジタルケーブルテレビ用のISDB-C等がある。
【先行技術文献】
【特許文献】
【００１３】
【特許文献１】特開２０１３−３８５２０号公報
【発明の概要】
【発明が解決しようとする課題】
【００１４】
地上デジタル放送（ＵＨＦ）および携帯端末向けマルチメディア放送ISDB-Tmmの両方をエア受信するためには、受信するこれらの帯域以外の妨害波をフィルタによって抑圧することが必要とされる。例えば図２は、従来のチューナ１００を示している。このチューナ１００は、ＵＨＦ、ＶＨＦ−Ｈ、ＶＨＦ−Ｌの入力を有している。入力端子１０１からのＲＦ入力が弾性表面波フィルタ（ＳＡＷＦ）１０３を介してチューナ１００のＵＨＦ入力に供給される。入力端子１０２からの入力がチューナ１００のＵＨＦ入力に供給される。
【００１５】
図３は、地上デジタル放送および携帯端末向けマルチメディア放送をエア受信する場合のチューナの入力の周波数特性の一例を示している。図３に示すように、ISDB-TmmおよびＵＨＦの受信するために、（２０７．５〜２２２[MHz]）および（４７０〜７７０[MHz]）の帯域のみを通過させ、他の帯域を減衰させるフィルタを設けている。すなわち、他の帯域には、鉄道無線、消防無線等の他の用途に割り当てられているために、他の帯域を充分減衰させる必要がある。
【００１６】
このように、ＶＨＦ−ＬおよびＭＩＤの帯域の減衰が大きい周波数特性を持っている場合、実質的にＣＡＴＶパススルー方式ではなくなり、壁面のアンテナ端子と携帯端末とを直接またはクレードル、卓上ホルダ等を介して接続しても、地上デジタル放送を視聴したり、録画することが良好とできないおそれが生じる。
【００１７】
したがって、本開示の目的は、複数のアンテナを備えて、自動的にアンテナ切替を行うことによって、良好なエア受信を可能とすると共に、ＣＡＴＶパススルー方式対応で、地上デジタル放送および携帯端末向けマルチメディア放送の良好な受信を行うことができるテレビジョン受信装置、テレビジョン受信方法および携帯端末を提供することにある。
【課題を解決するための手段】
【００１８】
上述の課題を解決するために、本開示は、複数のアンテナ入力と、
複数のアンテナ入力の一つを選択する選択部と、
選択されたアンテナ入力からの信号を処理する処理部と、
選択部を制御するコントロール信号を生成するコントロール信号生成部と
を有するテレビジョン受信装置である。
また、本開示は、複数のアンテナ入力の一つを選択部によって選択し、
選択されたアンテナ入力からの信号を処理部によって処理し、
選択部を制御するコントロール信号をコントロール信号生成部によって生成する
テレビジョン受信方法である。
好ましくは、複数のアンテナ入力には、伝送帯域の全帯域をカバーする有線のアンテナ入力が含まれる。
【００１９】
さらに、本開示は、複数のアンテナ入力と、
複数のアンテナ入力の一つを選択する選択部と、
選択されたアンテナ入力からの信号を処理する処理部と、
選択部を制御するコントロール信号を生成するコントロール信号生成部と
を有し、
複数のアンテナ入力には、伝送帯域の全帯域をカバーする有線のアンテナ入力が含まれる携帯端末である。
好ましくは全帯域には、地上デジタル放送の信号と、携帯端末向けマルチメディア放送の信号とが含まれる。
【発明の効果】
【００２０】
本開示によれば、自動的に最良のテレビジョン受信が可能なアンテナを自動的に選択することができる。さらに、全帯域をカバーする有線のアンテナ入力を備えるので、テレビジョン放送を良好に受信することができる。
【図面の簡単な説明】
【００２１】
【図１】テレビジョン放送の含まれる伝送帯域の説明に使用する略線図である。
【図２】従来のチューナの説明に用いるブロック図である。
【図３】従来のチューナの周波数特性の説明に用いる略線図である。
【図４】本開示の第１の実施の形態のブロック図である。
【図５】本開示の第１の実施の形態の変形例のブロック図である。
【図６】本開示の第１の実施の形態のアンテナ切替の説明に用いる状態遷移を示す略線図である。
【図７】本開示の第１の実施の形態のアンテナ切替の説明に用いるフローチャートである。
【図８】本開示の第１の実施の形態のアンテナ切替の説明に用いるフローチャートである。
【図９】本開示の第１の実施の形態のアンテナ切替の説明に用いるフローチャートである。
【図１０】本開示の第２の実施の形態のブロック図である。
【図１１】本開示の第２の実施の形態の説明に用いる略線図である。
【発明を実施するための形態】
【００２２】
以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。
以下の説明は、下記の順序にしたがってなされる。
＜１．第１の実施の形態＞
＜２．第２の実施の形態＞
＜３．変形例＞
【００２３】
＜１．第１の実施の形態＞
図４を参照して本開示の第１の実施の形態について説明する。例えばＡＮＴ１〜ＡＮＴ５の５個のアンテナ端子（具体的には、アンテナ接続用のコネクタ）が設けられている。アンテナ端子ＡＮＴ１には、携帯端末例えばタブレット端末に付属のロッドアンテナが接続されている。
【００２４】
アンテナ端子ＡＮＴ２には、例えば３．５mmの直径のイヤホンケーブルを使用するアンテナが接続され、アンテナ端子ＡＮＴ３には、２．５mmの直径のマイクロＵＳＢケーブルを利用するアンテナが接続される。さらに、アンテナ端子ＡＮＴ４は、屋内の壁面のアンテナ端子（例えばＦ型コネクタ）と同軸ケーブルによって接続される。さらに、アンテナ端子ＡＮＴ５は、卓上ホルダ、クレードル等のＦ型コネクタと同軸ケーブルで接続される。アンテナ端子ＡＮＴ４は、地上デジタル放送用のコネクタであり、アンテナ端子ＡＮＴ５は、携帯端末向けマルチメディア放送ISDB-Tmmの帯域用のコネクタである。なお、これらのアンテナは、一例であって、電源ケーブルを使用したアンテナ等の他のアンテナを使用できる。
【００２５】
５個のアンテナ信号がアンテナ切替部１に供給される。アンテナ切替部１は、アンテナ切替スイッチＳＷ１およびＳＷ２からなる。アンテナ切替スイッチＳＷ１は、５個のアンテナ信号の何れか一つを選択するためのもので、アンテナ切替スイッチＳＷ１で選択されたアンテナ信号が切替スイッチＳＷ２に供給される。
【００２６】
切替スイッチＳＷ２は、受信する周波数に応じて入力を二つの出力に分けてモジュール３に供給する。モジュール３は、ＩＣ化されたチューナおよびデコーダ部４が含まれている。チューナおよびデコーダ部４は、ＵＨＦ入力ポート４ａ、ＶＨＦ−Ｈ入力ポート４ｂおよびＣＡＴＶ用入力ポート４ｃを有する。切替スイッチＳＷ２の一方の出力が弾性表面波フィルタ６に供給され、その他方の出力がチューナおよびデコーダ部４のＣＡＴＶ用入力ポート４ｃに供給される。この例では、ＣＡＴＶ用入力ポート４ｃがＵＨＦまで対応していない。
【００２７】
弾性表面波フィルタ６の出力信号がハイパスフィルタ７およびローパスフィルタ８に供給される。ハイパスフィルタ７によってＵＨＦの信号が選択され、選択されたＵＨＦの信号がチューナおよびデコーダ部４のＵＨＦ入力ポート４ａに供給される。ローパスフィルタ８によってＶＨＦ−Ｈ（ISDB-Tmmの帯域）の信号が選択される。選択されたＶＨＦ−Ｈの信号がチューナおよびデコーダ部４のＶＨＦ−Ｈの入力ポートに供給される。
【００２８】
チューナおよびデコーダ部４のチューナは、入力される各帯域の信号を中間周波信号に周波数変換する。中間周波信号がデコーダに供給され、デコーダによってトランスポートストリーム（ＴＳ）が復調される。デコーダは、復調部、誤り訂正部、トランスポートストリーム復号部を有している。
【００２９】
一例として、地上デジタル放送（フルセグ／ワンセグ）の方式としてISDB-Tを使用し、携帯端末向けマルチメディア放送の方式としてISDB-Tmmを使用している。これの方式は、デジタル放送の方式のISDBのファミリーのため、チューナおよびデコーダ部４における信号処理を共通化することができる。但し、携帯端末向けマルチメディア放送としてISDB-Tmm以外の他の方式を使用しても良い。
【００３０】
アンテナ切替スイッチＳＷ１は、後述するようなアンテナ切替のアルゴリズムにしたがって切替が制御される。切替スイッチＳＷ２は、受信する周波数に合わせてチューナおよびデコーダ部４の入力ポートを選択する。これらのスイッチＳＷ１およびＳＷ２の制御のためのコントロール信号がチューナおよびデコーダ部４から供給される。コントロール信号は、チューナおよびデコーダ部４において生成される。但し、携帯端末の全体の処理を制御する上位のコントローラにおいて、アンテナ切替のコントロール信号を生成しても良い。
【００３１】
「第１の実施の形態の変形例」
チューナおよびデコーダ部４のＣＡＴＶ用入力ポート４ｃが全帯域（ＶＨＦ−Ｌ、ＶＨＦ−Ｈ、ＳＨＢおよびＵＨＦを含む伝送帯域（９０〜７７０[MHz]）に対応する場合には
、図５に示す構成とすることができる。すなわち、壁面のアンテナ端子ＡＮＴ４とチューナおよびデコーダ部４のＣＡＴＶ用入力ポート４ｃとを直結するようになされる。したがって、切替スイッチＳＷ２を省略することができ、回路構成を簡略とすることができる。上述した本開示の第１の実施の形態では、エア受信時の妨害波抑圧用のフィルタの影響を受けないでＣＡＴＶ（地上デジタル放送）を良好に受信することができ、ＣＡＴＶの入力から得られる番組コンテンツを録画用とすることができる。
【００３２】
「アンテナ自動切替のアルゴリズム」
チューナおよびデコーダ部４に含まれるＭＣＵ(Micro Controller Unit)によって行わ
れるアンテナ切替スイッチＳＷ１を自動的に切り替えるアルゴリズムについて説明する。切替の制御時の状態遷移図が図６に示されており、制御の処理の流れが図７、図８、図９のフローチャートに示されている。なお、図７および図８のフローチャートは、一連の処理の流れを示すものであるが、作図スペースの関係で２枚の図面に分割されている。なお、フローチャートに示す処理は、アンテナ切替スイッチＳＷ１に対して、４個のアンテナ端子ＡＮＴ１〜ＡＮＴ４からの信号が入力されているものとしている。
【００３３】
図７の最初のステップＳ１：電源オンされ、初期化処理が行われる。図６の状態遷移図における初期状態に対応する。
ステップＳ２：チューニングがなされる。
ステップＳ３：第１回目のチューニングか否かが判定される。
【００３４】
ステップＳ４：アンテナ端子ＡＮＴ１（例えばロッドアンテナ）に対するアンテナの有無（Ｙ／Ｎ）が判定される。判定結果は、保存される。アンテナ端子に対してアンテナが接続されているか否かは、例えば電源投入時等の初期処理時に判定しておき、判定結果を保存しておくことが好ましい。処理は、その判定結果をステップＳ４において調べるのみで良い。後述するアンテナ端子に対するアンテナの有無の処理も同様である。アンテナの有無を予め検出して保存しておくことによって、アンテナが未接続のアンテナ端子を選択しないようにできるので、処理を迅速とすることができる。
【００３５】
ステップＳ５：アンテナ端子ＡＮＴ１（例えばロッドアンテナ）が有ると判定されると、アンテナ端子ＡＮＴ１を選択するようにアンテナ切替スイッチＳＷ１が設定される。待機時間Ｔ１が設定される。待機時間Ｔ１は、予め所望の値に設定することが可能とされている。後述する待機時間も同様にカストマイズ可能とされている。
ステップＳ６：Ａ＝RSSI−DefRSSI1によって信号強度が計算される。RSSIは、検出された信号強度である。DefRSSIは、アンテナ端子ＡＮＴ１に対応するアンテナが接続された
時の無信号状態のレベルを示し、予め検出されて保存されている。ステップＳ６の演算によって、単純な信号強度ではなく、信号純度を算出することができる。なお、信号強度の情報は、チューナおよびデコーダ部に含まれるＡＧＣ回路のゲインコントロール信号から得ることができる。
ステップＳ７：ステップＳ４において、アンテナ端子ＡＮＴ１にアンテナが無いと判定される場合には、Ａ＝０とされる。
【００３６】
ステップＳ８：アンテナ端子ＡＮＴ２に対するアンテナの有無（Ｙ／Ｎ）が判定される。判定結果は、保存される。
ステップＳ９：アンテナ端子ＡＮＴ２にアンテナが接続されていると判定されると、アンテナ端子ＡＮＴ２を選択するようにアンテナ切替スイッチＳＷ１が設定される。待機時間Ｔ２が設定される。
ステップＳ１０：Ｂ＝RSSI−DefRSSI2によって信号強度が計算される。DefRSS2は、ア
ンテナ端子ＡＮＴ２に対応するアンテナが接続された時の無信号状態のレベルを示し、予め検出されて保存されている。ステップＳ１０の演算によって、単純な信号強度ではなく、信号純度を算出することができる。
ステップＳ１１：ステップＳ８において、アンテナ端子ＡＮＴ２にアンテナが無いと判定される場合には、Ｂ＝０とされる。
【００３７】
ステップＳ１２：アンテナ端子ＡＮＴ３に対するアンテナの有無（Ｙ／Ｎ）が判定される。判定結果は、保存される。
ステップＳ１３：アンテナ端子ＡＮＴ３にアンテナが接続されていると判定されると、アンテナ端子ＡＮＴ３を選択するようにアンテナ切替スイッチＳＷ１が設定される。待機時間Ｔ３が設定される。
ステップＳ１４：Ｃ＝RSSI−DefRSSI3が計算される。DefRSS3は、アンテナ端子ＡＮＴ
３に対応するアンテナが接続された時の無信号状態のレベルを示し、保存されている。ステップＳ１４の演算によって、単純な信号強度ではなく、信号純度を算出することができる。
ステップＳ１５：ステップＳ１２において、アンテナ端子ＡＮＴ３にアンテナが無いと判定される場合には、Ｃ＝０とされる。
【００３８】
ステップＳ１６：アンテナ端子ＡＮＴ４に対するアンテナの有無（Ｙ／Ｎ）が判定される。判定結果は、保存される。
ステップＳ１７：アンテナ端子ＡＮＴ４にアンテナが接続されていると判定されると、アンテナ端子ＡＮＴ４を選択するようにアンテナ切替スイッチＳＷ１が設定される。待機時間Ｔ４が設定される。
ステップＳ１８：Ｄ＝RSSI−DefRSSI4が計算される。DefRSS4は、アンテナ端子ＡＮＴ
４に対応するアンテナが接続された時のレベルを示し、保存されている。ステップＳ１４の演算によって、単純な信号強度ではなく、信号純度を算出することができる。
ステップＳ１９：ステップＳ１６において、アンテナ端子ＡＮＴ４にアンテナが無いと判定される場合には、Ｄ＝０とされる。
【００３９】
ステップＳ２０：上述したように求められて保存されている信号強度Ａ〜Ｄの中で、最大値が求められる。
ステップＳ２１：信号強度の最大値の信号を選択するように、アンテナ切替スイッチＳＷ２が制御される。アンテナ切替スイッチＳＷ２が設定されてからＴ５の時間待機して状態を監視している。Ｔ５の時間経過後に次の処理に移行する。
【００４０】
さらに、図８のフローチャートを参照して処理の流れを説明する。
ステップＳ２２：ＰＥＲ（パケットエラーレート）＝０か否かが判定される。ＰＥＲの代わりにＢＥＲ（ビットエラーレート）を使用して、ＢＥＲ＜ＴＨ１か否かを判定する処理も可能である。ＰＥＲおよびＢＥＲは、チューナおよびデコーダ部４のエラー訂正処理の結果得ることができる。
ステップＳ２３：ステップＳ２２の判定の結果が肯定の場合、すなわち、復調処理の結果のエラーが少ない場合には、状態がロック状態となる。
【００４１】
図６の状態遷移図に示すように、ステップＳ２３に至ったときがロック状態であり、信号強度を求め、信号強度の最大値のアンテナを求めている状態は、アンロック状態である。
ステップＳ２４：ステップＳ２２において、エラーが多いと判定されると、ステップＳ２２の処理を行っており、ステップＳ２２の結果が肯定となるまでの時間が時間切れとなり、さらに、時間切れが予め設定した回数ｙ生じるかどうかが判定される。
ステップＳ２５：ステップＳ２４の判定結果が肯定の場合に、アンテナ端子が４番目のものかどうかが判定される。
ステップＳ２６：ステップＳ２５において、４番目のアンテナ端子と判定されると、状態がタイムアウトとなる（図６参照）。
【００４２】
ステップＳ２７：ステップＳ２５において、４番目のアンテナ端子ではないと判定されると、信号強度Ａ〜Ｄの中で、２番目に大きい信号強度を生じさせるアンテナ端子がセットされる。信号強度の順位は、例えば電源投入時、機器の動作モードの切替時等の初期状態に求められたものが使用される。信号強度が高いものから順番にアンテナをセットする処理によってアンテナ選定時間を短縮化することが可能である。
ステップＳ２８：セットされたアンテナ端子の信号強度がしきい値ＴＨ２より大か否かが判定される。しきい値ＴＨ２は、上述したしきい値ＴＨ１以下の値である。信号強度がしきい値ＴＨ２以上でないと、処理がステップＳ２６（タイムアウト状態）に戻る。
ステップＳ２９：ステップＳ２８において、信号強度がしきい値ＴＨ２より大と判定されたアンテナ端子を選択するように、待機時間Ｔ６の経過後にアンテナ切替スイッチＳＷ２がセットされる。そして、処理がステップＳ２２に戻る。
【００４３】
図６に示すように、初期状態から受信を開始してＰＥＲまたはＢＥＲに基づいてアンロック状態からロック状態に移行する。ロック状態において、選択されたアンテナによってテレビジョン放送を受信している。ここで、ＰＥＲが発生すると、ＰＥＲをトリガーとして状態がインターラプト状態に遷移する。
【００４４】
インターラプト状態では、例えば所定期間のＰＥＲが計数され、ＰＥＲの数がしきい値と比較される。ＰＥＲの計数値がしきい値より小の場合には、ロック状態に戻る。逆に、ＰＥＲの計数値がしきい値より大の場合には、アンロック状態に移行する。
【００４５】
このようなインターラプト状態をロック状態とアンロック状態以外に設けることに予測、不要にアンテナ切替が発生し、画像および音声が頻繁に途切れることを防止することができる。さらに、ＰＥＲによってエラーが発生したときにロック状態からインターラプト状態に遷移するので、ソフトウェアに対する負担を少なくできると共に、視聴状態が良い状況では、不要に画像および音声が途切れることを防止することができる。
【００４６】
図９のフローチャートを参照してインターラプト状態の処理の流れについて説明する。ロック状態において、ＦＥＣ(Forward Error Correction)エラーが発生すると、インターラプト状態への遷移が発生する。
ステップＳ３１：設定された時間Ｔ１１、待機する。
ステップＳ３２：ＰＥＲ＝０か否かが判定される。その結果に応じて、エラーカウント回数Ｅおよびエラー計数値Ｆの変数が変化される。ＰＥＲ＝０は、エラーが無いことを示しており、ＰＥＲ＝１は、エラーが有ることを示している。
【００４７】
ステップＳ３３：ＰＥＲ＝０と判定されると、エラーカウント回数Ｅがインクリメントされ、エラー計数値Ｆは変化しない。
ステップＳ３４：ＰＥＲ＝０と判定されると、エラーカウント回数Ｅが変化せず、エラー計数値Ｆがインクリメントされる。
【００４８】
ステップＳ３５：エラーカウント回数Ｅと予め設定されるしきい値Ｅｎとが比較される。Ｅ≧Ｅｎの場合には、状態がロック状態に戻る。
ステップＳ３６：ステップＳ３５において、Ｅ＜Ｅｎの場合には、エラー計数値Ｆと予め設定されるしきい値Ｆｎとが比較される。Ｆ≧Ｆｎの場合には、状態がアンロック状態に移行する。具体的には、アンテナ選択要求として図７におけるステップＳ４に処理が移る。逆に、ステップＳ３６において、エラー計数値Ｆがしきい値Ｆｎより小の場合には、処理がステップＳ３１（待機）に戻る。
【００４９】
上述したように、図６に示す状態遷移図において、アンロック状態では、信号強度に基づいて最良のアンテナを選択し、その後にエラー状態を検査する。エラー状態が良ければ、すなわち、（ＰＥＲ＝０）または（ＢＥＲ＜ＴＨ１）の場合に、アンロック状態からロック状態に遷移する。ロック状態では、ＰＥＲが監視されており、エラーが発生すると、ロック状態からインターラプト状態に遷移する。
【００５０】
インターラプト状態において、所定期間のエラーの計数値がしきい値Ｅｎより小となると、インターラプト状態からロック状態に遷移する。一方、インターラプト状態において、所定期間のエラーの計数値がしきい値Ｅｎより大となると、アンロック状態へ移行する。このような制御によって、ソフトウェアの負担を少なくして画像および音声が途切れないようにアンテナ切替を行うことができる。
【００５１】
＜２．第２の実施の形態＞
本開示の第２の実施の形態について説明する。地上波デジタル放送では、ＯＦＤＭ(Orthogonal Frequency Division Multiplex) 変調方式が使用されている。この変調方式は、多重反射伝播（いわゆるマルチパス）の環境に強く、伝送誤り率を低く抑えられるという特長がある。電波の受信強度を改善できるダイバーシティ受信という技術がある。ダイバーシティ受信とは受信条件を変えた複数のアンテナによって、放送電波を受信し、それらのなかから最も受信状態のよいアンテナを選択したり、複数のアンテナによる受信電波を合成することにより、１つのアンテナで受信する場合に比較して受信品質を上げる技術である。このダイバーシティ受信とＯＦＤＭを組み合わせて使用することにより、一層効果的に受信品質を上げることができる。第２の実施の形態は、ダイバーシティ受信を行うものである。
【００５２】
図１０に示すように、複数のモジュール例えばマスタモジュール３およびスレーブモジュール２３が備えられている。各モジュールは、上述した第１の実施の形態と同様の構成を有している。マスタモジュール３を説明すると、アンテナ端子（ロッドアンテナ）ＡＮＴ１、アンテナ端子ＡＮＴ２およびアンテナ端子ＡＮＴ３からの受信信号がアンテナ切替スイッチＳＷ１に入力される。アンテナ切替スイッチＳＷ１によって選択された信号が弾性表面波フィルタ５を介してチューナおよびデコーダ部４の入力端子４ａに供給される。
【００５３】
図１０に示す構成では、チューナおよびデコーダ部４が放送信号入力端子として一つの入力端子４ａのみを有するようにしている。但し、上述したように、携帯端末向けマルチメディア放送用の入力端子を別個に持つようにしても良い。さらに、チューナおよびデコーダ部４は、ＣＡＴＶ用入力端子４ｃを備えている。
【００５４】
入力端子４ａからの放送信号がＬＮＡ (Low Noise Amplifier)６ａおよびモジュールＩＣに外付けされたフィルタ７を介して切替スイッチＳＷ３の一方の入力に供給される。放送波を直接受信する場合，端末自身が送信する携帯電話・無線LAN・Bluetooth（登録商標）などの各種無線信号が妨害波として干渉するため，急峻な特性を持ったフィルタ等を用いてこれら妨害波の除去を行う必要がある。さらに、受信波の状況に適応するために、ＬＮＡ６ａには、ＮＦ(Noise Figure:雑音指数）特性に優れたものが求められる。アンプのＮＦが小さいと、アンプで発生するノイズが少なくでき、結果としてアンテナを小さくできる。
【００５５】
入力端子４ｃに対しては、ＬＮＡ６ｃが接続され、ＬＮＡ６ｃを介されたＣＡＴＶ用の信号が切替スイッチＳＷ３の他方の入力に供給される。直接受信ではなくケーブルを介してＣＡＴＶ帯域の放送を受信する場合、使用する帯域は日本の場合（９０〜７７０[MHz]
）と比較的広範囲であり，直接受信を行う場合のような妨害除去フィルタのあるシステムを適用すると希望波を受信できない場合がある。さらに、入力信号品質は比較的安定しており、入力段のＬＮＡ６ｃについては直接受信の場合ほどの低ＮＦ特性が求められない。但し、広帯域の受信に対応する必要がある。
【００５６】
スイッチＳＷ３の出力信号が乗算器８に供給される。乗算器８に対して、ＰＬＬPhase
Locked Loop）９からの信号が供給され、乗算器８から中間周波信号が取り出される。中
間周波信号が復調・デコーダ部１０に供給され、復調および復号がなされる。復調・デコーダ部１０は、復調部、誤り訂正部、トランスポートストリーム復号部を有しており、トランスポートストリームが取り出される。
【００５７】
復調・デコーダ部１０と関連してＭＣＵ１１が備えられている。ＭＣＵ１１の制御の下で復調・デコーダ部１０が処理を行い、上述したようなアンテナ切替用のコントロール信号（ＡＮＴセレクト）が生成される。さらに、復調・デコーダ部１０には、ダイバーシティ回路１２が設けられている。復調・デコーダ部１０は、上位のコントローラとの通信を行うようになされている。
【００５８】
スレーブモジュール２３も上述したマスタモジュール３と同様の構成を有する。スレーブモジュール２３に対して複数のアンテナ端子ＡＮＴ２１、ＡＮＴ２２、ＡＮＴ２３が接続され、アンテナ切替スイッチＳＷ２１によってこれらの一つが選択される。さらに、壁面のアンテナ端子またはクレードルのアンテナ端子とケーブルで接続されるアンテナ端子ＴＶinを有する。アンテナ端子ＴＶinからの信号がチューナおよびデコーダ部２４のＣＡＴＶ用入力端子２４ｃに供給される。切替スイッチＳＷ２３によって選択された信号が乗算器２８において中間周波信号へ変換されて復調・デコーダ部３０に入力される。
【００５９】
復調・デコーダ部３０が備えるダイバーシティ回路３２は、マスタモジュール３のダイバーシティ回路１２と接続されている。ダイバーシティ回路１２および３２によって得られる複数のアンテナの受信状態に基づいてアンテナ選択用のコントロール信号が復調・デコーダ部１０において生成される。このコントロール信号によって、アンテナ切替スイッチＳＷ１およびＳＷ２１が制御される。
【００６０】
第２の実施の形態においては、マスター側で各モジュールの受信した信号がダイバーシティ合成される。アンテナの選択は、上述した第１の実施の形態と同様の処理で行われるが、個々のアンテナから得られた信号強度の情報ではなく、合成後の特性が最良となる組合せをマスター側で判断し、切替動作が制御される。
【００６１】
図１１を参照して合成後の特性を使用して最良のアンテナを判断する処理を説明する。図１１には、アンテナ端子ＡＮＴ１およびＡＮＴ４のそれぞれからの受信信号の周波数特性と、これらをダイバーシティ合成した後の受信信号の周波数特性とが示されている。さらに、図１１には、他の組合せとして、アンテナ端子ＡＮＴ１およびＡＮＴ５のそれぞれからの受信信号の周波数特性と、これらをダイバーシティ合成した後の受信信号の周波数特性とが示されている。
【００６２】
ＡＮＴ１の受信信号およびＡＮＴ４の受信信号の信号強度RSSIが高く、ＡＮＴ５の受信信号の強度RSSIが低い。しかしながら、合成後の信号強度を見ると、ＡＮＴ１の受信信号とＡＮＴ５の受信信号の組合せがより高い信号強度となる。この例のように、マスター側のダイバーシティ回路１２は、二つのアンテナの合成後の信号強度に基づいてアンテナを選択するコントロール信号を生成する。
【００６３】
アンテナ切替のアルゴリズムは、上述した第１の実施の形態と同様であるが、アンロック状態におけるアンテナ決定の処理のみが相違する。第１の実施の形態では、信号強度の値に基づいてアンテナを決定していた。これに対して、第２の実施の形態では、アンテナの組合せを切替ながら順次確認を行い、ダイバーシティ合成後のＣ／Ｎ（キャリアノイズ比）が最大となる組合せを選択するようになされる。より具体的には、全てのアンテナの組合せについてダイバーシティ合成後のＣ／Ｎに基づいて最良のアンテナの組合せが選択される。なお、上述した説明では、二組の受信部を使用しているが、３組以上の受信部を使用するダイバーシティ受信を行うようにしても良い。
【００６４】
＜３．変形例＞
以上、本開示の実施の形態について具体的に説明したが、上述の各実施の形態に限定されるものではなく、本開示の技術的思想に基づく各種の変形が可能である。例えば、上述の実施の形態において挙げた構成、方法、工程、形状、材料および数値などはあくまでも例に過ぎず、必要に応じてこれと異なる構成、方法、工程、形状、材料および数値などを用いても良い。
【００６５】
例えば本開示において、ＣＡＴＶ用のアンテナ端子にケーブルが接続される場合には、ＣＡＴＶ用の入力を優先的に選択するようにしても良い。さらに、本開示は、携帯端末以外にも車載ＡＶ機器、カーナビゲーション装置、ポータブルテレビジョン等の機器に対しても適用できる。また、本開示は、日本の放送のみに当てはまるものではなく、世界中のデジタル放送に対しても適用できる。
【００６６】
なお、本開示は、以下のような構成も取ることができる。
（１）
複数のアンテナ入力と、
複数の前記アンテナ入力の一つを選択する選択部と、
選択された前記アンテナ入力からの信号を処理する処理部と、
前記選択部を制御するコントロール信号を生成するコントロール信号生成部と
を有するテレビジョン受信装置。
（２）
前記複数のアンテナ入力には、伝送帯域の全帯域をカバーする有線のアンテナ入力が含まれる（１）に記載のテレビジョン受信装置。
（３）
前記全帯域をカバーする有線のアンテナ入力は、前記選択部を通過して前記処理部に供給される（２）に記載のテレビジョン受信装置。
（４）
前記コントロール信号生成部は、前記アンテナ入力からの信号のそれぞれの信号強度を求め、求められた信号強度が大きく、且つエラーの少ない前記アンテナ入力を選択する（１）（２）の何れかに記載のテレビジョン受信装置。
（５）
前記コントロール信号生成部は、前記複数のアンテナ入力に関して予め信号強度を求め、前記信号強度の大きいものから順番にアンテナ入力を選択する（４）に記載のテレビジョン受信装置。
（６）
前記コントロール信号生成部は、前記複数のアンテナ入力の有無を予め求め、前記アンテナ入力の無いものについての処理を省略する（４）に記載のテレビジョン受信装置。
（７）
前記アンテナ入力の一つを選択するロック状態において、エラーが発生する場合にインターラプト状態に移行し、前記インターラプト状態において、エラーが再度起きないか、またはエラーが少ないことを確認すると、前記ロック状態に戻る（４）に記載のテレビジョン受信装置。
（８）
前記コントロール信号生成部は、複数の前記アンテナ入力を組合せて合成後の信号強度を求め、求められた合成後の信号強度が大きい前記アンテナ入力を設定する（１）に記載のテレビジョン受信装置。
（９）
複数のアンテナ入力の一つを選択部によって選択し、
選択された前記アンテナ入力からの信号を処理部によって処理し、
前記選択部を制御するコントロール信号をコントロール信号生成部によって生成する
テレビジョン受信方法。
（１０）
複数のアンテナ入力と、
複数の前記アンテナ入力の一つを選択する選択部と、
選択された前記アンテナ入力からの信号を処理する処理部と、
前記選択部を制御するコントロール信号を生成するコントロール信号生成部と
を有し、
前記複数のアンテナ入力には、伝送帯域の全帯域をカバーする有線のアンテナ入力が含まれる携帯端末。
（１１）
前記全帯域には、地上デジタル放送の信号と、携帯端末向けマルチメディア放送の信号とが含まれる（１０）に記載の携帯端末。
【符号の説明】
【００６７】
ＡＮＴ１〜ＡＮＴ５・・・アンテナ端子
ＳＷ１・・・アンテナ切替スイッチ
３，２３・・・モジュール
４，２４・・・チューナおよびデコーダ部
【図１】
2014183517.tif 000003
【図２】
2014183517.tif 000004
【図３】
2014183517.tif 000005
【図４】
2014183517.tif 000006
【図５】
2014183517.tif 000007
【図６】
2014183517.tif 000008
【図７】
2014183517.tif 000009
【図８】
2014183517.tif 000010
【図９】
2014183517.tif 000011
【図１０】
2014183517.tif 000012
【図１１】
2014183517.tif 000013